(57)【特許請求の範囲】
【請求項１】
シールド機につながる排泥管から排出される排泥水を取り込む分流器本体と、
シールド機につながる排泥管に接続され、前記分流器本体の内部底面に設けられ、排泥水を前記分流器本体に取り込むための流入管と、
前記分流器本体に接続され、前記分流器本体内に取り込まれた排泥水中の上澄泥水を排出する上澄泥水排出部と、
前記上澄泥水排出部よりも下方で前記分流器本体に接続され、前記分流器本体内に取り込まれた排泥水中の土砂を排出する土砂排出部と、
を備えた排泥水の分流器であって、
前記分流器本体には、前記上澄泥水排出部より低くて、前記土砂排出部より高い位置に、前記分流器本体内に取り込まれた排泥水中のＦＲＰを取り出すＦＲＰ取り出し部が設けられていることを特徴とする排泥水の分流器。
【請求項２】
請求項１記載の排泥水の分流器において、
前記ＦＲＰ取り出し部には、先端部に開閉可能な蓋部が設けられ、
この蓋部から離間した内部に開閉バルブが設けられていることを特徴とする排泥水の分流器。
【発明の詳細な説明】
【０００１】
【発明の属する技術分野】
本発明は、排泥水の分流器に関する。
【０００２】
【従来の技術】
シールド工事において、シールド機が地盤に埋設された杭等の構造物を切削することが事前に判明している場合、構造物のうち、シールド機との干渉部の芯材として、鉄骨の代わりに、例えば、特開２０００−３５１８５８号公報に開示されているようなＦＲＰ（繊維強化プラスチックス）を用いることがある。
ところで、構造物のＦＲＰをシールド機で切削する場合、カッタヘッドから後続の処理設備へ搬送される排泥水には、掘削土砂や切削した埋設構造物のコンクリート塊（以下、土砂等という）、ＦＲＰが含まれる。これらの排泥水は、図２に示すような分流器１０ａによって、上澄泥水と土砂等やＦＲＰとに分流され、上澄泥水は、分流器本体１ａの上部に設けられた上澄泥水排出部２ａから排出され、土砂等やＦＲＰは、上澄泥水排出部２ａより下方に設けられた土砂排出部３ａから排出されていた。
【０００３】
【発明が解決しようとする課題】
しかし、排泥中に土砂等とＦＲＰとが絡み合って大きな塊となり、排泥管を詰まらせるという問題があった。また、排泥管の詰まりを防止するために、排泥管の途中に礫取り装置を設け、定期的に礫取り装置にたまった土砂等やＦＲＰを取り除く方法が考えられるが、その除去作業は排泥を一旦停止する必要があるため、シールド機の掘進を停止しなければならなかった。
【０００４】
そこで、本発明の課題は、排泥管を詰まらせることがなくて、シールド機の掘進を停止することのない排泥水の分流器を提供することである。
【０００５】
【課題を解決するための手段】
上記課題を解決するため、請求項１に記載の発明は、例えば、図１に示すように、
シールド機につながる排泥管から排出される排泥水を取り込む分流器本体１と、
シールド機につながる排泥管に接続され、前記分流器本体の内部底面に設けられ、排泥水を前記分流器本体に取り込むための流入管１１と、
前記分流器本体に接続され、前記分流器本体内に取り込まれた排泥水中の上澄泥水を排出する上澄泥水排出部２と、
前記上澄泥水排出部よりも下方で前記分流器本体に接続され、前記分流器本体内に取り込まれた排泥水中の土砂を排出する土砂排出部３と、
を備えた排泥水の分流器１０であって、
前記分流器本体には、前記上澄泥水排出部より低くて、前記土砂排出部より高い位置に、前記分流器本体内に取り込まれた排泥水中のＦＲＰを取り出すＦＲＰ取り出し部４が設けられていることを特徴とする。
【０００６】
請求項１記載の発明によれば、上澄泥水排出部より低くて、土砂排出部より高い位置に、ＦＲＰ取り出し部を設けたので、排泥水中の土砂とＦＲＰとは分流され、従来のように、土砂とＦＲＰとが絡み合って排泥管を詰まらせることがなくなり、シールド機の掘進を停止することがなくなる。
【０００７】
請求項２記載の発明は、例えば、図１に示すように、請求項１記載の排泥水の分流器において、前記ＦＲＰ取り出し部には、先端部に開閉可能な蓋部４２が設けられ、この蓋部から離間した内部に開閉バルブ４３が設けられていることを特徴としている。
【０００８】
請求項２記載の発明によれば、ＦＲＰ取り出し部には、蓋部と開閉バルブとが離間して設けられているので、ＦＲＰ取り出し部内の先端部にＦＲＰが堆積してくると、開閉バルブを閉じて蓋部を開くことにより、排泥水の排出を遮断した状態で蓋部と開閉バルブとの間に堆積したＦＲＰを取り出すことができる。よって、シールド機の掘進を停止しなくても、ＦＲＰの取り出し作業を行うことができる。
【０００９】
【発明の実施の形態】
以下、図面を参照して本発明に係る実施の形態の一例について詳細に説明する。
最初に、分流器の構成について説明する。
図１に示すように、分流器１０は、シールド機から排出されるＦＲＰを含んだ排泥水を分流するものであり、分流器本体１、上澄泥水排出部２、土砂排出部３、ＦＲＰ取り出し部４等を備えている。
【００１０】
分流器本体１は、シールド機から排出された排泥水を分流して排出するために、排泥水を取り込むものである。分流器本体１の内部底面には、排泥水を内部に取り込むための流入管１１が設置されている。この流入管１１は、流入する排泥水の流速に見合った径のものが選ばれ、分流に適した流速に調節する役割を果たしている。また、流入管１１の一端部は、分流器本体１の下部側面（図１では、左下側面部）から突出してシールド機につながる排泥管にフランジ１３を介して接続され、他端部は少し上方に曲げられてＦＲＰ取り出し部４に向けて開口した状態となっている。また、分流器本体１の外面には、分流器本体１の内部を点検するための点検孔１２が形成されており（図１では２ヵ所）、点検時以外は蓋が被せられている。
【００１１】
上澄泥水排出部２は、排泥水中の上澄泥水を排出するものであり、土砂排出部３及びＦＲＰ取り出し部４よりも高い位置に取り付けられている。上澄泥水排出部２は、フランジ２１を介してベンド管２２の一端部が接続され、ベンド管２２の他端部にレデゥーサ管２４がフランジ２３を介して接続されて構成されている。なお、このレデゥーサ管２４は、上澄泥水をカッタヘッドに送り込むための循環ポンプ（図示しない）に接続されている。
【００１２】
土砂排出部３は、排泥水中の掘削土砂及び切削した埋設構造物のコンクリート塊（以下、土砂等という）を排出するものであり、分流器本体１の下部側面に取り付けられている。土砂排出部３は、フランジ３１を介してレデゥーサ管３２の一端部が接続されて構成されている。なお、レデゥーサ管３２の他端部は、土砂処理プラント等の後続設備へ送泥するための送泥ポンプ（図示しない）に接続されている。
【００１３】
ＦＲＰ取り出し部４は、排泥水中のＦＲＰを取り出すものであり、筒状に形成され、上澄泥水排出部２より低くて、土砂排出部３より高い位置に、基端部が分流器本体１内に挿入された状態で分流器本体１と接合されている。また、ＦＲＰ取り出し部４は、少し上方に曲げられた流入管１１の他端部に対向するように取り付けられている。また、ＦＲＰ取り出し部４の先端部は基端部よりも小さい断面となるように形成されており、先端部には開閉可能な蓋部４２が取り付けられている。さらに、蓋部４２から離間した内部には、ＦＲＰ取り出し部４内を開閉可能な開閉バルブ４３が取り付けられている。
【００１４】
次に、分流器１０を用いた排泥水の分流方法について説明する。
まず、シールド機から排出される排泥水をポンプによって分流器１０へ送り、流入管１１から分流器本体１内部に取り込む。
次いで、循環ポンプを起動して上澄泥水排出部２から排泥水中の上澄泥水を排出するとともに、送泥ポンプを起動して土砂排出部３から排泥水中の土砂等を排出する。なお、分流器１０から排出された上澄泥水は、循環ポンプによりカッタヘッドに送られて再利用され、土砂等は、送泥ポンプにより後続の土砂処理設備へと送られて処理される。
また、シールド機の掘進を行いながら、適度な時間をおいて開閉バルブ４３を閉じた後に蓋部４２を開け、ＦＲＰ取り出し部４内に堆積したＦＲＰの取り出す。
なお、循環ポンプ及び送泥ポンプは排泥水を分流器本体１内に取り込む前に起動してもよいし、分流器本体１内が満たされてから起動してもよい。
【００１５】
本実施の形態の分流器１０によれば、流入管１１から流入してきた排泥水は、分流器本体１内で吐出され、上澄泥水と土砂等との間の比重を有するＦＲＰはＦＲＰ取り出し部４に向けて流動し（図１では、右上方向）、上澄泥水より比重の大きな土砂等は分流器本体１１の底部に向けて流動する（図１では、右下方向）。また、最も比重の小さな上澄泥水は上澄泥水排出部２の方へ流動する（図１では、左上方向）。なお、上澄泥水の比重は１．３程度、土砂等の比重は２．４〜２．７程度、ＦＲＰの比重は１．４程度である。
【００１６】
よって、排泥水中の土砂等とＦＲＰとは分流されるため、従来のように、土砂等とＦＲＰとが絡み合って排泥管を詰まらせることがなくなり、シールド機の掘進を停止することがなくなる。
また、開閉バルブ４３を閉じて蓋部４２を開くことにより、ＦＲＰ取り出し部４からの排泥水の排出を遮断した状態で蓋部４２と開閉バルブ４３間に堆積したＦＲＰを取り出すことができる。よって、シールド機の掘進を停止しなくても、ＦＲＰの取り出し作業を行うことができる。
【００１７】
なお、本発明は、上述の実施の形態に限定されるものではない。例えば、分流器本体１の大きさ、上澄泥水排出部２、土砂排出部３、ＦＲＰ取り出し部４の構成、点検孔１２の位置やその数量、蓋部４２の開閉機構、開閉バルブ４３の種類等は任意であって、発明の要旨を逸脱しない範囲内で設計変更が可能である。
【００１８】
【発明の効果】
請求項１記載の発明によれば、排泥水中の土砂とＦＲＰとは分流されるため、従来のように、土砂とＦＲＰとが絡み合って排泥管を詰まらせることがなくなり、シールド機の掘進を停止することがなくなる。
【００１９】
請求項２記載の発明によれば、ＦＲＰ取り出し部からの排出を遮断した状態で蓋部とバルブ間に堆積したＦＲＰを取り出すことができる。よって、シールド機の掘進を停止しなくても、ＦＲＰの取り出し作業を行うことができる。
【図面の簡単な説明】
【図１】本発明の実施の形態における分流器を説明するための正面図である。
【図２】従来技術における分流器を説明するための正面図である。
【符号の説明】
２      上澄泥水排出部
３      土砂排出部
４      ＦＲＰ取り出し部
１０    分流器
４２    蓋部
４３    開閉バルブ
【図１】
0004205362.tif 000002
【図２】
0004205362.tif 000003